(57)【要約】【課題】演算処理するデータ量が少なくてすみ、複雑な演算処理が必要なく、高圧放電ランプの色温度を容易に調整することができる高圧放電ランプ点灯装置18を提供する。【解決手段】発光スペクトル検出手段20により、高圧放電ランプ点灯手段34で点灯させる高圧放電ランプ17の発光スペクトルを検出する。制御回路36により、発光スペクトル検出手段20で検出した発光スペクトルから、高圧放電ランプ17に封入されているハロゲン化物主成分のタリウム（Ｔｌ）とナトリウム（Ｎａ）との２つの特定波長の発光強度比を求める。制御回路36により、求めた発光強度比に応じて高圧放電ランプ点灯手段34が出力する矩形波電流のデューティ比を制御する。【選択図】図１
2009231282.tif 000002
【特許請求の範囲】
【請求項１】
高圧放電ランプを点灯させる高圧放電ランプ点灯手段と；
高圧放電ランプ点灯手段によって点灯する高圧放電ランプの発光スペクトルを検出する発光スペクトル検出手段と；
発光スペクトル検出手段によって検出される発光スペクトルから、高圧放電ランプに封入されているハロゲン化物主成分に起因した２つの特定波長の発光強度比を求め、この発光強度比に応じて高圧放電ランプ点灯手段の出力を制御する制御手段と；
を具備していることを特徴とする高圧放電ランプ点灯装置。
【請求項２】
２つの特定波長は、ハロゲン化物主成分のタリウム（Ｔｌ）とナトリウム（Ｎａ）とに起因した波長である
ことを特徴とする請求項１に記載の高圧放電ランプ点灯装置。
【請求項３】
発光スペクトル検出手段は、発光スペクトルのピーク感度がタリウム（Ｔｌ）とナトリウム（Ｎａ）とに起因した２つの特定波長にある
ことを特徴とする請求項２に記載の高圧放電ランプ点灯装置。
【請求項４】
制御手段は、発光強度比に応じて高圧放電ランプ点灯手段が出力する矩形波電流のデューティ比を制御する
ことを特徴とする請求項１ないし３いずれか一に記載の高圧放電ランプ点灯装置。
【請求項５】
高圧放電ランプを備えた器具本体と；
高圧放電ランプを点灯させる請求項１ないし４いずれか一に記載の高圧放電ランプ点灯装置と；
を具備していることを特徴とする照明装置。
【発明の詳細な説明】
【技術分野】
【０００１】
本発明は、高圧放電ランプを点灯させる高圧放電ランプ点灯装置、およびこの高圧放電ランプ点灯装置を用いた照明装置に関する。
【背景技術】
【０００２】
従来、例えば、メタルハライドランプなどの高圧放電ランプでは、同一種類でも、封入薬品の封入量のばらつき、発光管寸法や電極位置および電極間隔などの製造上のばらつきによって、点灯時の色温度に５０〜１００Ｋ程度のばらつきがある。そのため、店舗などで、同一種類の複数の高圧放電ランプを同時に点灯させた場合に、高圧放電ランプ毎に色温度がばらついて見えることがある。
【０００３】
また、高圧放電ランプの色温度を補正するために、点灯時の高圧放電ランプの色温度を測定し、測定値に応じて、高圧放電ランプに出力する点灯周波数を変化させたり、高圧放電ランプに出力する矩形波電流のデューティ比を変化させることにより、高圧放電ランプの色温度を変更するようにした高圧放電ランプ点灯装置がある（例えば、特許文献１および２参照。）。
【先行技術文献】
【特許文献】
【０００４】
【特許文献１】特開２００３−１６８５８８号公報（第４−５頁、図５−６）
【特許文献２】特許第３５８４８３５号公報（第４頁、図１−４）
【発明の概要】
【発明が解決しようとする課題】
【０００５】
しかしながら、従来の高圧放電ランプ点灯装置のように、高圧放電ランプの色温度を測定して処理するには、例えば、色彩輝度計や分光放射計などの検出手段を用いる場合、一般的に、その検出手段による測定値から、演算回路にて、三刺激値を求めて色度値を演算し、その色度値から色温度を求めなければならず、演算処理するデータ量が非常に多く、複雑な演算処理が必要となる。
【０００６】
そのため、従来の高圧放電ランプ点灯装置では、高圧放電ランプの色温度を変更するのに、処理能力が高い演算回路を用いて複雑な演算処理に対応しなければならず、高圧放電ランプの色温度を調整することが容易ではなかった。
【０００７】
本発明は、このような点に鑑みなされたもので、演算処理するデータ量が少なくてすみ、複雑な演算処理が必要なく、高圧放電ランプの色温度を容易に調整することができる高圧放電ランプ点灯装置、およびこの高圧放電ランプ点灯装置を用いた照明装置を提供することを目的とする。
【課題を解決するための手段】
【０００８】
請求項１記載の高圧放電ランプ点灯装置は、高圧放電ランプを点灯させる高圧放電ランプ点灯手段と；高圧放電ランプ点灯手段によって点灯する高圧放電ランプの発光スペクトルを検出する発光スペクトル検出手段と；発光スペクトル検出手段によって検出される発光スペクトルから、高圧放電ランプに封入されているハロゲン化物主成分に起因した２つの特定波長の発光強度比を求め、この発光強度比に応じて高圧放電ランプ点灯手段の出力を制御する制御手段と；を具備しているものである。
【０００９】
高圧放電ランプは、例えば、メタルハラルドランプなど複数のハロゲン化物が発光物質として封入された放電ランプが含まれており、発光管を備え、この発光管には一対の電極が封装などにより設けられているとともに放電媒体が封入されている。放電媒体として、始動および緩衝ガス、金属のハロゲン化物、および水銀などが封入されている。ハロゲン化物としては、主成分としてタリウム（Ｔｌ）、ナトリウム（Ｎａ）などがあり、色度調整成分としてＴｍ、Ｃａ、Ｉｎ、Ｌｉ、Ｒｂなどを添加してもよい。
【００１０】
高圧放電ランプ点灯手段は、例えば、交流電源を整流する整流回路、入力電源の力率改善用のチョッパ回路、矩形波のパルス電圧に変換して高圧放電ランプに印加するスイッチング素子を備えたインバータ回路、高圧放電ランプの始動を補助するイグナイタなどの始動回路などで構成してもよいが、このような構成に限定されるものではない。
【００１１】
発光スペクトル検出手段で検出する高圧放電ランプの発光スペクトルには、発光波長と発光強度が含まれる。発光スペクトル検出手段は、センサ単体でもよいし、センサに特定の波長を主体に透過するフィルタを組み合わせてもよい。
【００１２】
２つの特定波長は、高圧放電ランプに封入されているハロゲン化物で、高圧放電ランプの色温度への影響が大きい主成分に起因する波長が好ましいが、色調整成分に起因する波長でもよい。例えば、タリウム（Ｔｌ）とナトリウム（Ｎａ）とに起因した２つの特定波長などがあるが、これらに限定されるものではない。
【００１３】
制御手段は、例えば、２つの特定波長の発光強度比と高圧放電ランプの色温度との関係を予め備え、これに基づき、検出された２つの特定波長から求められた発光強度比が、高圧放電ランプの種類や仕様の色温度に対応した目標となる発光強度比となるように、放電ランプ点灯手段の出力をフィードバック制御すればよい。制御手段では、例えば、高圧放電ランプ点灯手段に用いるインバータ回路のスイッチング素子のオンオフを制御し、スイッチング素子をオンするデューティ比を変化させたり、スイッチング素子で点灯周波数を変化させることにより、高圧放電ランプの色温度を変更させる。要するに、高圧放電ランプの種類や仕様に応じて、点灯電流値の正／損の比、点灯周波数、点灯電力などの１つまたは２つ以上を変化させることによって発光強度比すなわち色温度を変更させる。
【００１４】
請求項２記載の高圧放電ランプ点灯装置は、請求項１記載の高圧放電ランプ点灯装置において、２つの特定波長は、ハロゲン化物主成分のタリウム（Ｔｌ）とナトリウム（Ｎａ）とに起因した波長であるものである。
【００１５】
ハロゲン化物主成分のタリウム（Ｔｌ）とナトリウム（Ｎａ）は、高圧放電ランプの色温度への影響が大きく、少なくともこれらの特定波長を検出することが好ましい。タリウム（Ｔｌ）の波長は５３５ｎｍであり、ナトリウム（Ｎａ）の波長は５８９ｎｍ（測定条件によっては５８５〜５９５ｎｍの範囲となる）である。
【００１６】
請求項３記載の高圧放電ランプ点灯装置は、請求項２記載の高圧放電ランプ点灯装置において、発光スペクトル検出手段は、発光スペクトルのピーク感度がタリウム（Ｔｌ）とナトリウム（Ｎａ）とに起因した２つの特定波長にあるものである。
【００１７】
発光スペクトル検出手段は、発光スペクトルのピーク感度が２つの特定波長にあるセンサを用いてもよいし、センサと２つの特定波長を主体に透過させるフィルタとを組み合わせて用いてもよい。また、各特定波長にピーク感度を有する２つの発光スペクトル検出手段を用いてもよい。
【００１８】
請求項４記載の高圧放電ランプ点灯装置は、請求項１ないし３いずれか一に記載の高圧放電ランプ点灯装置において、制御手段は、発光強度比に応じて高圧放電ランプ点灯手段が出力する矩形波電流のデューティ比を制御するものである。
【００１９】
制御手段は、例えば、高圧放電ランプ点灯手段に用いるインバータ回路のスイッチング素子のオンオフを制御し、スイッチング素子をオンするデューティ比を可変することにより、発光強度比に応じて高圧放電ランプ点灯手段が出力する矩形波電流のデューティ比を制御する。
【００２０】
請求項５記載の照明装置は、高圧放電ランプを備えた器具本体と；高圧放電ランプを点灯させる請求項１ないし４いずれか一に記載の高圧放電ランプ点灯装置と；を具備しているものである。
【００２１】
発光スペクトル検出手段は、器具本体に取り付けられた高圧放電ランプの発光スペクトルを検出できる位置に配置すればよい。
【発明の効果】
【００２２】
請求項１記載の高圧放電ランプ点灯装置によれば、高圧放電ランプの発光スペクトルを検出し、検出された発光スペクトルから高圧放電ランプに封入されているハロゲン化物主成分に起因した２つの特定波長の発光強度比を求め、この発光強度比に応じて高圧放電ランプ点灯手段の出力を制御するため、制御手段で演算処理するデータ量が少なくてすみ、複雑な演算処理も必要なく、高圧放電ランプの色温度を容易に調整することができる。
【００２３】
請求項２記載の高圧放電ランプ点灯装置によれば、請求項１に記載の高圧放電ランプ点灯装置の効果に加えて、２つの特定波長は、ハロゲン化物主成分のタリウム（Ｔｌ）とナトリウム（Ｎａ）に起因した波長であり、高圧放電ランプの色温度特性を正確に検出でき、高圧放電ランプの色温度を所定の色温度に正確に調整することができる。
【００２４】
請求項３記載の高圧放電ランプ点灯装置によれば、請求項２に記載の高圧放電ランプ点灯装置の効果に加えて、発光スペクトル検出手段は、発光スペクトルのピーク感度がタリウム（Ｔｌ）とナトリウム（Ｎａ）とに起因した２つの特定波長にあるため、制御手段で発光強度比を求める２つの特定波長に特定して検出でき、制御手段での演算処理を簡素化できる。
【００２５】
請求項４記載の高圧放電ランプ点灯装置によれば、請求項１ないし３いずれか一に記載の高圧放電ランプ点灯装置の効果に加えて、発光強度比に応じて高圧放電ランプ点灯手段が出力する矩形波電流のデューティ比を制御することにより、高圧放電ランプの色温度を容易に調整できる。
【００２６】
請求項５記載の照明装置によれば、所定の色温度の光で照明できる。
【図面の簡単な説明】
【００２７】
【図１】本発明の一実施の形態を示す高圧放電ランプ点灯装置のブロック図である。
【図２】同上高圧放電ランプ点灯装置を適用した照明装置の断面図である。
【図３】同上高圧放電ランプ点灯装置の矩形波電流の波形図を示し、(a)はデューティ比が５０％の波形図、(b)はデューティ比が３０％の波形図、(c)はデューティ比が１０％の波形図である。
【図４】同上高圧放電ランプ点灯装置により各デューティ比で高圧放電ランプを点灯させた場合の発光スペクトルの波長と発光強度との関係の測定結果を示すグラフである。
【図５】同上デューティ比と高圧放電ランプの色温度との関係の測定結果を示すグラフである。
【図６】同上デューティ比と発光強度比（５３５ｎｍ／５８９ｎｍ）との関係の測定結果を示すグラフである。
【図７】同上高圧放電ランプ点灯装置による高圧放電ランプの色温度の調整動作を示すフローチャートである。
【発明を実施するための形態】
【００２８】
以下、本発明の一実施の形態を、図面を参照して説明する。
【００２９】
図１は高圧放電ランプ点灯装置のブロック図、図２は高圧放電ランプ点灯装置を適用した照明装置の断面図、図３は高圧放電ランプ点灯装置の矩形波電流の波形図を示し、(a)はデューティ比が５０％の波形図、(b)はデューティ比が３０％の波形図、(c)はデューティ比が１０％の波形図、図４は高圧放電ランプ点灯装置により各デューティ比で高圧放電ランプを点灯させた場合の発光スペクトルの波長と発光強度との関係の測定結果を示すグラフ、図５はデューティ比と高圧放電ランプの色温度との関係の測定結果を示すグラフ、図６はデューティ比と発光強度比（５３５ｎｍ／５８９ｎｍ）との関係の測定結果を示すグラフ、図７は高圧放電ランプ点灯装置による高圧放電ランプの色温度の調整動作を示すフローチャートである。
【００３０】
図２に示すように、照明装置11は、天井12に設置される器具本体13を備えている。この器具本体13内には隔壁14が設けられ、この隔壁14の下側にソケット15および反射体16が配置され、ソケット15には高圧放電ランプ17が装着されている。隔壁14の上側に高圧放電ランプ17を点灯させる高圧放電ランプ点灯装置18が配置されている。
【００３１】
反射体16には高圧放電ランプ17に対向して検出孔19が形成され、反射体16の外側に検出孔19を通じて高圧放電ランプ17の発光スペクトルを検出する発光スペクトル検出手段20が配置されている。
【００３２】
高圧放電ランプ17は、例えばメタルハライドランプであり、発光管、この発光管を収容する外管、外管内に発光管を支持する支持部材、および外管に設けられた口金などを備えている。発光管は、透光性セラミックス放電容器、この透光性セラミックス放電容器に封装された一対の電極、透光性セラミックス放電容器内に封入された放電媒体などを備えている。放電媒体としては、始動および緩衝ガス、金属のハロゲン化物、および水銀などが封入されている。ハロゲン化物としては、主成分としてタリウム（Ｔｌ）、ナトリウム（Ｎａ）などがあり、色度調整成分としてＴｍ、Ｃａ、Ｉｎ、Ｌｉ、Ｒｂなどが添加されている。
【００３３】
高圧放電ランプ17は、発光管の内部のアスペクト比が、電極間の距離／発光管の最大内径≧２の関係にある。
【００３４】
図１に示すように、高圧放電ランプ点灯装置18は、商用交流電源ｅにこの商用交流電源ｅの交流電圧を全波整流する整流回路31が接続され、この整流回路31に平滑するとともに力率改善のペアレギュレータとしても機能する出力可変の昇降圧用のチョッパ回路32が接続され、このチョッパ回路32に矩形波のパルス電圧に変換して高圧放電ランプ17に印加するフルブリッジ型のインバータ回路33が接続されている。これらチョッパ回路32およびインバータ回路33で高圧放電ランプ点灯手段34が構成されている。インバータ回路33は、始動時にパルス出力して始動を補助するイグナイタ35を介して高圧放電ランプ17に接続されている。
【００３５】
また、制御手段としての制御回路36により、チョッパ回路32の出力およびインバータ回路33の出力を制御する。この制御回路36には発光スペクトル検出手段20が接続されている。制御回路36は、図２のような照明装置11において、高圧放電ランプ点灯装置18と同一ケース内に収納され得る。
【００３６】
そして、制御回路36は、発光スペクトル検出手段20によって検出される発光スペクトルから、高圧放電ランプ17に封入されているハロゲン化物主成分に起因した２つの特定波長の発光強度比を求め、この発光強度比に応じて高圧放電ランプ点灯手段34の出力を制御する機能を有している。
【００３７】
制御回路36による高圧放電ランプ点灯手段34の出力の制御は、図３に示すように、高圧放電ランプ点灯手段34が出力する矩形波電流のデューティ比を制御するもので、負の矩形波電流に対する正の矩形波電流のデューティ比を、例えば５０％、３０％、１０％というように制御する。なお、ここに示したデューティ比は一例であり、これらの例に限らず連続的に可変したり、細かく段階的に可変することもできる。
【００３８】
図４には、５０％、３０％、１０％の各デューティ比で高圧放電ランプ17を点灯させたときに、発光スペクトル検出手段20で検出した発光スペクトルの波長と発光強度との関係を示す。図４ではデューティ比５０％の発光スペクトルを示す曲線を太線で表しており、デューティ比１０％、３０％を示す曲線のうち、５０％に重なっていない部分をそれぞれ破線で表している。図４によれば、高圧放電ランプ17に封入されているハロゲン化物主成分であるタリウム（Ｔｌ）の５３５ｎｍおよびナトリウム（Ｎａ）の５８９ｎｍ（測定条件によっては５８５〜５９５ｎｍの範囲となることがあるが、説明では５８９ｎｍとする）の発光強度が大きく、これらによる高圧放電ランプ17の色温度への影響が大きいことが分かる。そのため、これらタリウム（Ｔｌ）の５３５ｎｍおよびナトリウム（Ｎａ）の５８９ｎｍを特定波長とし、これらの発光強度比を求める。
【００３９】
図５には、デューティ比と高圧放電ランプ17の色温度との関係を測定によって求めた結果を示す。デューティ比が大きいほど色温度が低く、デューティ比が小さいほど色温度が高くなる関係があることが分かる。
【００４０】
図６には、デューティ比とタリウム（Ｔｌ）の５３５ｎｍおよびナトリウム（Ｎａ）の５８９ｎｍの発光強度比（５３５ｎｍ／５８９ｎｍ）との関係を測定によって求めた結果を示す。デューティ比が大きいほど発光強度比（５３５ｎｍ／５８９ｎｍ）が小さく、デューティ比が小さいほど発光強度比（５３５ｎｍ／５８９ｎｍ）が大きくなる関係があることが分かる。
【００４１】
これらから、デューティ比を基準に高圧放電ランプ17の色温度と発光強度比（５３５ｎｍ／５８９ｎｍ）とに相関関係があることが分かる。
【００４２】
制御回路36は、記憶手段を備え、この記憶手段に、図５に示すデューティ比と高圧放電ランプ17の色温度との関係、および図６に示すデューティ比と発光強度比（５３５ｎｍ／５８９ｎｍ）との関係を含み、デューティ比と高圧放電ランプ17の色温度と発光強度比（５３５ｎｍ／５８９ｎｍ）との関係が記憶されている。
【００４３】
すなわち、制御回路36は、予め記憶されているデューティ比と高圧放電ランプ17の色温度と発光強度比（５３５ｎｍ／５８９ｎｍ）との関係に基づき、検出された２つの特定波長から求められた発光強度比が、高圧放電ランプ17の種類や仕様の色温度に対応した目標となる発光強度比となるように、高圧放電ランプ点灯手段34が出力する矩形波電流のデューティ比を制御する機能を有している。
【００４４】
また、発光スペクトル検出手段20は、発光スペクトルのピーク感度がタリウム（Ｔｌ）とナトリウム（Ｎａ）とに起因した２つの特定波長にあることが好ましく、例えば、発光スペクトルのピーク感度が２つの特定波長にあるセンサを用いてもよいし、センサと２つの特定波長を主体に透過させるフィルタとを組み合わせて用いてもよい。また、各特定波長にピーク感度を有する２つのセンサ、またはセンサとフィルタとの組み合わせを用いてもよい。
【００４５】
次に、高圧放電ランプ点灯装置18の動作を説明する。
【００４６】
商用交流電源ｅの交流電圧を整流回路31で整流し、チョッパ回路32で昇降圧した後にインバータ回路33で矩形波の交流電圧に変換し、高圧放電ランプ17に印加する。始動時には、イグナイタ35によりパルス状の通常より高い電圧を印加し、高圧放電ランプ17を始動、点灯させる。
【００４７】
制御回路36には、図示しない設定手段により高圧放電ランプ17の種類や仕様の色温度に対応した目標となる発光強度比が予め設定されている。例えば、目標とする色温度が３４００Ｋと設定された場合、図５からデューティ比は４０％、図６から発光強度比（５３５ｎｍ／５８９ｎｍ）は０．９に設定される。
【００４８】
そして、発光スペクトル検出手段20により高圧放電ランプ17の発光スペクトルを検出し、制御回路36によりタリウム（Ｔｌ）とナトリウム（Ｎａ）とに起因した２つの特定波長の発光強度比（５３５ｎｍ／５８９ｎｍ）ａを求める。
【００４９】
制御回路36は、図７に示すように、検出された発光強度比（５３５ｎｍ／５８９ｎｍ）ａと目標とする発光強度比０．９とを比較し、一致していれば、点灯している高圧放電ランプ17の色温度が目的とする色温度となっている。
【００５０】
検出された発光強度比（５３５ｎｍ／５８９ｎｍ）ａが目標とする発光強度比０．９より大きい場合（ａ＞０．９）、点灯している高圧放電ランプ17の色温度が目的とする色温度よりも高くなっている。この場合には、デューティ比を現在の値より上げるように制御することにより、点灯している高圧放電ランプ17の色温度を低くし、点灯している高圧放電ランプ17の色温度を目的とする色温度に調整する。
【００５１】
検出された発光強度比（５３５ｎｍ／５８９ｎｍ）ａが目標とする発光強度比０．９より小さい場合（ａ＜０．９）、点灯している高圧放電ランプ17の色温度が目的とする色温度よりも低くなっている。この場合には、デューティ比を現在の値より下げるように制御することにより、点灯している高圧放電ランプ17の色温度を高くし、点灯している高圧放電ランプ17の色温度を目的とする色温度に調整する。
【００５２】
このように、高圧放電ランプ17の発光スペクトルを検出し、検出された発光スペクトルから２つの特定波長の発光強度比を求め、この発光強度比に応じて高圧放電ランプ点灯手段34の出力を制御するため、制御回路36で演算処理するデータ量が少なくてすみ、複雑な演算処理も必要なく、高圧放電ランプ17の色温度を容易に調整することができる。
【００５３】
しかも、２つの特定波長として、高圧放電ランプ17に封入されているハロゲン化物主成分のタリウム（Ｔｌ）とナトリウム（Ｎａ）に起因した特定波長を選定することにより、高圧放電ランプ17の色温度特性を正確に検出でき、高圧放電ランプ17の色温度を所定の色温度に正確に調整することができる。
【００５４】
さらに、発光スペクトル検出手段20は、発光スペクトルのピーク感度がタリウム（Ｔｌ）とナトリウム（Ｎａ）とに起因した２つの特定波長にあるため、制御回路36で発光強度比を求める２つの特定波長に特定して検出でき、制御回路36での演算処理を簡素化できる。
【００５５】
また、発光強度比に応じて高圧放電ランプ点灯手段34が出力する矩形波電流のデューティ比を制御することにより、高圧放電ランプ17の色温度を容易に調整できる。
【００５６】
ところで、高圧放電ランプ17をパルス点灯させたときに、アーク中心温度が上がり、アークが収縮し、ナトリウム（Ｎａ）のＤ線の吸収が抑えられることにより、色温度が変化しやすくなり、色温度の調整が容易になる。しかし、高圧放電ランプ17の発光管が球形や楕円形であると、電極間の距離が短く、アークの収縮によるＤ線の吸収抑制効果が顕著に現れず、十分な色温度の調整が難しくなる。そのため、高圧放電ランプ17の発光管の内部のアスペクト比を、電極間の距離／発光管の最大内径≧２の関係に設定することが好ましい。このように設定し、電極間の距離を長くすることにより、アークの収縮によるＤ線の吸収抑制効果が顕著に現れ、効率よく色温度を調整できる。
【００５７】
なお、発光スペクトル検出手段20は、タリウム（Ｔｌ）の波長が５３５ｎｍ、ナトリウム（Ｎａ）の波長が５８９ｎｍであるのに対して、発光スペクトルのピーク感度が４７０ｎｍ、５４０ｎｍ、６２０ｎｍの３つにあるセンサを用いてもよい。この場合、タリウム（Ｔｌ）の５３５ｎｍをピーク感度が４７０ｎｍと５４０ｎｍとにある２つの波長検出領域で検出し、ナトリウム（Ｎａ）の５８９ｎｍをピーク感度が５４０ｎｍと６２０ｎｍとにある２つの波長検出領域で検出するため、タリウム（Ｔｌ）の５３５ｎｍおよびナトリウム（Ｎａ）の５８９ｎｍの検出精度を安定させることができる。
【符号の説明】
【００５８】
11    照明装置
13    器具本体
17    高圧放電ランプ
18    高圧放電ランプ点灯装置
20    発光スペクトル検出手段
34    高圧放電ランプ点灯手段
36    制御手段としての制御回路
【図１】
2009231282.tif 000003
【図２】
2009231282.tif 000004
【図３】
2009231282.tif 000005
【図４】
2009231282.tif 000006
【図５】
2009231282.tif 000007
【図６】
2009231282.tif 000008
【図７】
2009231282.tif 000009